(57)【要約】【課題】エンジン自動停止中に始動要求があったときにブレーキが確実に作動していることを確認してからエンジンを始動する。【解決手段】所定の条件によりエンジンの自動停止または始動を判別する自動停止始動判別手段を備えたエンジンの自動停止始動制御装置において、ブレーキの作動を検出するブレーキスイッチと、ブレーキの油圧を検出するブレーキ油圧センサとを備え、前記自動停止始動判別手段は、他の条件によりエンジンの始動要求が判別された際には、前記ブレーキスイッチによりブレーキの作動が検出され、前記ブレーキ油圧センサで検出された油圧が所定値以上である場合に、エンジン始動と判別する。【選択図】　　図２
2004124923.tif 000002
【特許請求の範囲】
【請求項１】
所定の条件によりエンジンの自動停止または始動を判別する自動停止始動判別手段を備えたエンジンの自動停止始動制御装置において、
ブレーキの作動を検出する作動検出手段と、
ブレーキの油圧を検出する油圧検出手段とを備え、
前記自動停止始動判別手段は、他の条件によりエンジンの始動要求が判別された際には、前記作動検出手段によりブレーキの作動が検出され、前記油圧検出手段で検出された油圧が所定値以上である場合に、エンジン始動と判別することを特徴とするエンジンの自動停止始動制御装置。
【請求項２】
前記自動停止始動判別手段は、前記他の条件によりエンジンの始動要求が判別された際に、前記作動検出手段によりブレーキの作動が検出されていても、前記油圧検出手段で検出された油圧が前記所定値に満たない場合には、エンジン始動を禁止することを特徴とする請求項１に記載のエンジンの自動停止始動制御装置。
【発明の詳細な説明】
【０００１】
【発明の属する技術分野】
この発明は、エンジンの自動停止または始動を制御するエンジンの自動停止始動制御装置に関するものである。
【０００２】
【従来の技術】
エンジンを駆動源として備えた車両には、燃費向上および排出ガスの低減等を目的として、車両の停止中など所定の条件下において燃料供給を停止してエンジンを自動停止する、いわゆるアイドル停止制御を行うものがある。このアイドル停止制御は、エンジンのみを駆動源とする一般的な車両だけでなく、エンジンとモータを駆動源とするいわゆるハイブリッド車両においても行われている。
【０００３】
ところで、アイドル停止中に、アクセルペダルの踏み込みや室内空調の要求やエンジン始動バッテリー残容量の低下などによってエンジンを始動させる際には、ブレーキが作動されていることを確認してからエンジンを始動する。ここで、ブレーキの作動確認は、一般に、ブレーキペダルが踏み込まれているか否かを検出するブレーキスイッチにより行っており、ブレーキスイッチがＯＮであるときにブレーキが作動されていると判別している。
【０００４】
特許文献１には、ブレーキペダルの踏み込み量および踏み込み時間に基づいてエンジンを停止させるエンジン停止制御について開示されている。この特許文献１には、エンジン始動に関して、ブレーキペダルの踏み込み量が所定値以上ではエンジン始動を禁止し、ブレーキペダルの踏み込みを緩めていって踏み込み量が前記所定値未満になったときにエンジンを始動すると開示されている。
【０００５】
【特許文献１】
特開平９−１５４２０５号公報
【０００６】
【発明が解決しようとする課題】
しかしながら、アイドル停止中に前記始動要求があったときに、ブレーキスイッチがＯＮであることからブレーキペダルが踏み込まれていると判別されてエンジンが始動されると、ブレーキペダルの踏み込み量が極めて浅い場合には始動後の駆動力発生によりドライバーへショック等が伝わり違和感を感じさせる可能性がある。
そこで、この発明は、エンジン自動停止中に始動要求があったときにブレーキが確実に作動していることを確認してからエンジンを始動することができ、且つ、ドライバーに違和感を感じさせることがないエンジンの自動停止始動制御装置を提供するものである。
【０００７】
【課題を解決するための手段】
上記課題を解決するために、請求項１に記載した発明は、所定の条件によりエンジン（例えば、後述する実施の形態におけるエンジン１）の自動停止または始動を判別する自動停止始動判別手段を備えたエンジンの自動停止始動制御装置において、ブレーキの作動を検出する作動検出手段（例えば、後述する実施の形態におけるブレーキスイッチ２３）と、ブレーキの油圧を検出する油圧検出手段（例えば、後述する実施の形態におけるブレーキ油圧センサ２４）とを備え、前記自動停止始動判別手段（例えば、後述する実施の形態におけるステップＳ１０１〜Ｓ１０５）は、他の条件によりエンジンの始動要求が判別された際には、前記作動検出手段によりブレーキの作動が検出され、前記油圧検出手段で検出された油圧が所定値以上である場合に、エンジン始動と判別することを特徴とする。
ブレーキの油圧が所定値以上あれば所定の制動力が生じるので、前述のように構成することにより、エンジン自動停止中に始動要求があったときに、確実に所定の制動力が生じているブレーキ作動状態でエンジンを始動させることができる。また、エンジン始動により駆動力が発生してもドライバーにショック等を伝えないようにすることができる。
【０００８】
請求項２に記載した発明は、請求項１に記載の発明において、前記自動停止始動判別手段は、前記他の条件によりエンジンの始動要求が判別された際に、前記作動検出手段によりブレーキの作動が検出されていても、前記油圧検出手段で検出された油圧が前記所定値に満たない場合には、エンジン始動を禁止することを特徴とする。
このように構成することにより、エンジン自動停止中に始動要求があったときに、ブレーキが作動していても所定の制動力が得られない虞のある場合にはエンジンの始動を確実に禁止することができる。
【０００９】
【発明の実施の形態】
以下、この発明に係るエンジンの自動停止始動制御装置の一実施の形態を図１および図２の図面を参照して説明する。
図１は、エンジンの自動停止始動制御装置を備えたパラレル型ハイブリッド車両１００の概略構成図である。このハイブリッド車両１００では、動力源としてのエンジン１とモータ・ジェネレータ２、およびオートマチックトランスミッション３が直列に直結されている。モータ・ジェネレータ２は発電可能な電動機であり、エンジン１およびモータ・ジェネレータ２の両方の駆動力は、オートマチックトランスミッション３を介して駆動輪Ｗに伝達される。また、ハイブリッド車両１００の減速時に駆動輪Ｗ側からモータ・ジェネレータ２側に駆動力が伝達されると、モータ・ジェネレータ２は発電機として機能していわゆる回生制動力を発生し、車体の運動エネルギーを電気エネルギーとして回収する。
【００１０】
また、エンジン１の出力軸１ａは、プーリ・ベルト機構４および電磁クラッチ５を介してエンジン駆動のエアコンコンプレッサ６に接続可能にされている。エアコンコンプレッサ６の作動制御は、ＥＣＵ７により制御される電磁クラッチ５の締結／開放によって行われ、電磁クラッチ５を締結することによりエンジン１とエアコンコンプレッサ６が連結されてエアコンコンプレッサ６は作動状態となり、電磁クラッチ５を開放することによりエンジン１とエアコンコンプレッサ６は切り離されてエアコンコンプレッサ６は非作動状態となる。
モータ・ジェネレータ２の駆動及び回生作動は、ＥＣＵ７からの制御指令を受けてパワードライブユニット（ＰＤＵ）８により行われる。パワードライブユニット８にはモータ・ジェネレータ２と電気エネルギーの授受を行う高圧系のバッテリー９が接続されている。バッテリー９は、例えば、複数のセルを直列に接続したモジュールを１単位として更に複数個のモジュールを直列に接続して構成されている。
【００１１】
バッテリー９は、ダウンバータ１０およびインバータ１１に接続されており、ＥＣＵ７により制御されるダウンバータ１０は、バッテリー９の電圧を降圧して１２ボルト駆動の各補機１２に給電し、ＥＣＵ７により制御されるインバータ１１は、バッテリー９の直流電力を交流電力に変換してモータにより駆動されるエアコンコンプレッサ１３に給電する。
このように、このハイブリッド車両１００は、車室内空調用コンプレッサとしてエンジン駆動のエアコンコンプレッサ６とモータ駆動のエアコンコンプレッサ１３を備えており、ＥＣＵ７は、冷房負荷等の条件に応じて両エアコンコンプレッサ６，１３の作動を制御する。なお、エンジン駆動のエアコンコンプレッサ６は、例えば、モータ駆動のエアコンコンプレッサ１３だけでは冷房能力が不足するときなどに作動される。
【００１２】
また、ＥＣＵ７は、エンジン１への燃料供給量を制御する燃料供給量制御装置１４の作動制御を行い、所定の条件によりエンジンの自動停止始動制御を行う。そのために、ＥＣＵ７には、トランスミッション３の駆動軸の回転数に基づいて車速を検出する車速センサ２１の出力信号、トランスミッション３のシフトポジションを検出するシフトポジションセンサ２２の出力信号、ブレーキペダル１５が踏み込まれたか否かを検出するブレーキスイッチ（作動検出手段）２３の出力信号、ブレーキ油圧を検出するブレーキ油圧センサ（油圧検出手段）２４の出力信号、アクセルペダル１６の踏み込み量を検出するアクセルペダルセンサ２５の出力信号、バッテリー９の残容量を検出する残容量センサ２６の出力信号などが入力される。なお、ブレーキスイッチ２３のＯＮ設定は、ブレーキが効いている範囲で必ずＯＮになるようにする。
【００１３】
次に、ハイブリッド車両１００の停止状態におけるエンジン１の自動停止（すなわち、エンジン１のアイドル停止）中にエンジン始動要求があった場合の始動制御について、図２のフローチャートに従って説明する。
図２に示すフローチャートは、アイドル停止始動制御ルーチンを示すものであり、このアイドル停止始動制御ルーチンは、ＥＣＵ７によって一定時間毎に実行される。
アイドル停止は、車両の運転状態が所定の条件を満たしたときに、燃料供給量制御装置１４による燃料供給を停止してエンジン１を停止（空転を含む）させることにより実行される。
【００１４】
まず、ステップＳ１０１において、車両がアイドル停止中か否かを判別する。ステップＳ１０１における判別結果が「ＮＯ」（アイドル停止中ではない）である場合は、本ルーチンの実行を一旦終了する。
ステップＳ１０１における判別結果が「ＹＥＳ」（アイドル停止中）である場合は、ステップＳ１０２に進み、ブレーキスイッチ２３がＯＮか否かを判別する。
ステップＳ１０２における判別結果が「ＹＥＳ」（ＯＮ）である場合はブレーキ作動中であると判別されるので、ステップＳ１０３に進み、ブレーキ油圧センサ２４で検出されたブレーキ油圧が所定値以上あるか否かを判別する。
【００１５】
ステップＳ１０３における判別結果が「ＹＥＳ」（所定値以上）である場合は所定の制動力が生じていると判別されるので、ステップＳ１０４に進み、エンジン始動要求があるか否かを判別する。ここで、エンジン始動が要求される条件としては、例えば、アクセルペダルセンサ２５によりアクセルペダル１６の踏み込みが検出されたときや、車室内空調要求によりエンジン駆動のエアコンコンプレッサ６の駆動要求があったときや、残容量センサ２６で検出されたバッテリー９の残容量が所定値以下になったときなどを例示することができ、これらいずれかの条件が満たされたときにエンジン始動要求ありと判別される。
ステップＳ１０４における判別結果が「ＹＥＳ」（始動要求あり）である場合は、ステップＳ１０５に進み、エンジン始動と判別してエンジン１の始動を実行し、本ルーチンの実行を一旦終了する。
【００１６】
ステップＳ１０２における判別結果が「ＮＯ」（ブレーキスイッチがＯＦＦ）である場合は、ブレーキが作動していないと判別され、本ルーチンの実行を一旦終了して、アイドル停止を継続する。
また、ステップＳ１０３における判別結果が「ＮＯ」（ブレーキ油圧が所定値より小さい）である場合は、所定の制動力が生じていない虞があると判別され、本ルーチンの実行を一旦終了して、アイドル停止を継続する。
また、ステップＳ１０４における判別結果が「ＮＯ」（始動要求なし）である場合は、本ルーチンの実行を一旦終了して、アイドル停止を継続する。
したがって、アイドル停止中にエンジン始動要求があっても、ブレーキスイッチ２３がＯＦＦであったり、ブレーキ油圧が所定値以上ない場合には、エンジン１の始動を禁止することとなる。
【００１７】
このように、このエンジン１の自動停止始動制御装置によれば、アイドル停止中（エンジン自動停止中）に始動要求があった場合に、ブレーキが確実に作動されて所定の制動力が生じているときに限ってエンジン１を始動させることができる。その結果、アイドル停止中にエンジン始動が実行されたときに、ハイブリッド車両１００の不用意な移動を確実に防止することができ、ハイブリッド車両１００の停止状態を確実に維持することができる。また、エンジン始動により駆動力が発生してもドライバーにショック等が伝わることがない。
なお、この実施の形態においては、ステップＳ１０１〜Ｓ１０５の処理を実行することにより、自動停止始動判別手段が実現される。
【００１８】
〔他の実施の形態〕
尚、この発明は前述した実施の形態に限られるものではない。
例えば、前述した実施の形態は、エンジンとモータを駆動源とするハイブリッド車両に本発明を適用した例で説明したが、本発明は、エンジンのみを駆動源とする車両にも適用可能である。
【００１９】
【発明の効果】
以上説明するように、請求項１に記載した発明によれば、エンジン自動停止中に始動要求があったときに、確実に所定の制動力が生じているブレーキ作動状態でエンジンを始動させることができるので、車両の停止状態を確実に維持しつつエンジンを始動させることができるという優れた効果が奏される。また、エンジン始動により駆動力が発生してもドライバーにショック等が伝わることがないという効果もある。
請求項２に記載した発明によれば、エンジン自動停止中に始動要求があったときに、ブレーキが作動していても所定の制動力が得られない虞のある場合には、エンジンの始動を確実に禁止することができるという優れた効果が奏される。
【図面の簡単な説明】
【図１】この発明に係るエンジンの自動停止始動制御装置を備えたハイブリッド車両の一実施の形態における概略構成図である。
【図２】前記実施の形態におけるアイドル停止始動制御を示すフローチャートである。
【符号の説明】
１　エンジン
２３　ブレーキスイッチ（作動検出手段）
２４　ブレーキ油圧センサ（油圧検出手段）
Ｓ１０１〜１０５　自動停止始動判別手段
【図１】
2004124923.tif 000003
【図２】
2004124923.tif 000004